(57)【要約】【課題】複数箇所の開放を、安価に検出することができる防犯装置及びそれを用いた防犯システムを提供する。【解決手段】マグネット部２Ａとこのマグネット部２Ａが離れた際に信号を出力するリードスイッチ部２Ｂとを有するマグネットセンサー２と、このマグネットセンサー２のリードスイッチ部２Ｂよりの信号を受信すると警戒信号を出力する制御手段６とを有する。制御手段６に外部接点入力端子１３を接続する。外部接点入力端子１３に接続コード１２を介してる外部マグネットセンサー１１を接続する。外部マグネットセンサー１１よりの信号を受信した場合に、制御手段６は、マグネットセンサー２の状態に関係なく、警戒信号を受信機４に送る。【選択図】  図１
2005157656.tif 000002
【特許請求の範囲】
【請求項１】
マグネット部とこのマグネット部が離れた際に信号を出力するリードスイッチ部とを有するマグネットセンサーと、このマグネットセンサーのリードスイッチ部よりの信号を受信すると警戒信号を出力する制御手段とを有する送信機と、この送信機からの警戒信号を受信して警報を発する受信機とを備える防犯装置であって、
前記送信機は、前記制御手段に接続される外部接点入力端子を備え、
前記制御手段は、前記外部接点入力端子に接続コードを介して接続される外部センサーよりの信号を受信した場合に、前記マグネットセンサーの動作状態に関係なく、警戒信号を出力する構成とされていることを特徴とする防犯装置。
【請求項２】
請求項１記載の防犯装置を用い、２つの窓ガラス部にて開閉される引き違い式の窓部の前記窓ガラス部の開放を検出する防犯システムであって、
請求項１記載の防犯装置のマグネットセンサー及び前記外部マグネットセンサーのうち一方のセンサーが、前記２つの窓ガラス部のうち一方の窓ガラス部の開放を検出するものであり、他方のセンサーが、前記２つの窓ガラス部のうち他方の窓ガラス部の開放を検出するものであることを特徴とする防犯システム。
【請求項３】
前記外部マグネットセンサーは２つあり、
１つのマグネットセンサーは、窓ガラス部の開放を検出するものであり、
もう１つのマグネットセンサーは、前記窓部に設けられた網戸の開放を検出するものである請求項２記載の防犯システム。
【請求項４】
請求項１記載の防犯装置を用い、窓ガラス部にて開閉される窓部と扉にて開閉される出入り口からの侵入を検出する防犯システムであって、
請求項１記載の防犯装置のマグネットセンサー及び外部センサーのうち一方のセンサーが、前記窓部の窓ガラス部の開放を検出するものであり、他方のセンサーが、前記出入り口の扉の開放を検出するものであることを特徴とする防犯システム。
【請求項５】
請求項１記載の防犯装置を用い、窓ガラス部にて開閉される窓部からの侵入を検出する防犯システムであって、
請求項１記載の防犯装置のマグネットセンサーが、前記窓部の窓ガラス部の開放を検出するものであり、
請求項１記載の防犯装置の外部センサーは、前記窓部の周辺を徘徊する不審者を検知する人体検知センサーであることを特徴とする防犯システム。
【発明の詳細な説明】
【技術分野】
【０００１】
本発明は、マグネットセンサーを利用した防犯装置及びそれを用いた防犯システムに関するものである。
【背景技術】
【０００２】
従来より、マグネットセンサーを侵入検知センサーとして利用した防犯装置（侵入監視装置）は知られている（例えば特許文献１，２参照）。この装置では、マグネットセンサーの磁気発生部（マグネット部）を、住宅の窓部や出入り口の扉等に対し配置する一方、磁気検出部（リードスイッチ部）を前記窓や扉等のフレームに配置し、窓や扉等が閉まっている場合には磁気検出部が磁気発生部から発生する磁気を検出して正常信号を出力し、前記窓部や扉等が開放されている場合には磁気検出部が上記磁気を検出できず、異常信号を出力する構成とされている。
【特許文献１】特開平１１−８６１５１号公報（段落番号００２２〜００２５）
【特許文献２】特開２００３−２８１６３６号公報（段落番号００３２，００３３，００９７）
【発明の開示】
【発明が解決しようとする課題】
【０００３】
そのようなマグネットセンサーを利用した防犯装置では、２つの箇所での開放、例えば２つの窓ガラス部にて開閉される引き違い式の窓部における各窓ガラス部の開放や、窓部の窓ガラス部の開放と出入り口の扉の開放を検出しようとすれば、２つの防犯装置が必要になり、コスト高になる。
【０００４】
また、作動点検や換気のときなどには、送信動作を停止させなければならないが、そのような停止のためのスイッチを設けると、スイッチの入れ忘れのおそれがある。受信機側に受信禁止スイッチを設けても同じであり、さらに受信機が多数の送信機の信号を受信するものであれば、個々に受信禁止を設定する必要があり、面倒である。
【０００５】
本発明は、複数箇所の窓部などが不審者の侵入のために開放されることを安価に検出することができる防犯装置及びそれを用いた防犯システムを提供することを目的とする。
【課題を解決するための手段】
【０００６】
請求項１の発明は、マグネット部とこのマグネット部が離れた際に信号を出力するリードスイッチ部とを有するマグネットセンサーと、このマグネットセンサーのリードスイッチ部よりの信号を受信すると警戒信号を出力する制御手段とを有する送信機と、この送信機からの警戒信号を受信して警報を発する受信機とを備える防犯装置であって、前記送信機は、前記制御手段に接続される外部接点入力端子を備え、前記制御手段は、前記外部接点入力端子に接続コードを介して接続される外部センサーよりの信号を受信した場合に、前記マグネットセンサーの動作状態に関係なく、警戒信号を出力する構成とされていることを特徴とする。ここで、外部接点入力端子とは、例えば離れた場所の警戒をするために外部センサー（内蔵の前記マグネットセンサー以外のセンサー）を接続することができる端子である。外部センサーは、１個の場合だけでなく、複数個あってもよく（この場合は入力端子の数も複数個）、マグネットセンサーのほか、押しボタンスイッチ、人体検知赤外線センサーが含まれる。
【０００７】
このようにすれば、警戒信号を出力する制御手段は、マグネットセンサーからの入力のほかに、外部センサーからの信号を受信し、マグネットセンサーの状態に関係なく、外部センサーがＯＦＦ状態からＯＮ状態になると、受信機に警戒信号を送信する。つまり、一方のセンサーがＯＮ状態（閉じられていた窓ガラス部を開けてその開放状態が維持されている状態）にあったとしても、もう一方がＯＦＦ状態からＯＮ状態（窓ガラス部が閉められた状態から開ける状態）になった場合には、警戒信号が例えば無線にて受信機に送信される。このように、いずれのセンサーが、他方のセンサーの状態にかかわらず、ＯＦＦ状態からＯＮ状態になると、警戒信号が例えば無線にて受信機に送信される。
【０００８】
また、１つの制御手段にてマグネットセンサーと（単一または複数の）外部センサーとからの信号を管理することができ、安価となり、コストで有利となる。それに加えて、外部センサーは接続コードを介して接続される有線式であるので、高価な無線式人体検知センサーの場合に比べて、安価となり、この点からもコスト面で有利である。
【０００９】
請求項２の発明は、請求項１記載の防犯装置を用い、２つの窓ガラス部にて開閉される引き違い式の窓部の前記窓ガラス部の開放を検出する防犯システムであって、請求項１記載の防犯装置のマグネットセンサー及び前記外部マグネットセンサーのうち一方のセンサーが、前記２つの窓ガラス部のうち一方の窓ガラス部の開放を検出するものであり、他方のセンサーが、前記２つの窓ガラス部のうち他方の窓ガラス部の開放を検出するものであることを特徴とする。
【００１０】
このようにすれば、引き違い式の窓部の、２つの窓ガラス部のうちどちらかの窓ガラス部が開かれると、その窓ガラス部に対し設けられているセンサーがＯＦＦ状態からＯＮ状態に変化し、制御手段によって警戒信号が例えば無線で受信機に送信される。
【００１１】
その場合、請求項３に記載のように、前記外部マグネットセンサーは２つあり、１つのマグネットセンサーは、窓ガラス部の開放を検出するものであり、もう１つのマグネットセンサーは、前記窓部に設けられた網戸の開放を検出する構成とすることも可能である。
【００１２】
このようにすれば、窓ガラス部の開放だけでなく、夏場などにおいて窓ガラスを開放して網戸の状態にしている場合でも、不審者によって網戸が開かれるのを検出することができる。
【００１３】
請求項４の発明は、請求項１記載の防犯装置を用い、窓ガラス部にて開閉される窓部と扉にて開閉される出入り口からの侵入を検出する防犯システムであって、請求項１記載の防犯装置のマグネットセンサー及び外部センサーのうち一方のセンサーが、前記窓部の窓ガラス部の開放を検出するものであり、他方のセンサーが、前記出入り口の扉の開放を検出するものであることを特徴とする。
【００１４】
このようにすれば、窓部の窓ガラス部あるいは出入り口の扉が開放されると、その窓ガラス部あるいは扉に対し設けられているセンサーがＯＦＦ状態からＯＮ状態に変化し、警戒信号が例えば無線で受信機に送信される。
【００１５】
請求項５の発明は、請求項１記載の防犯装置を用い、窓ガラス部にて開閉される窓部からの侵入を検出する防犯システムであって、請求項１記載の防犯装置のマグネットセンサーが、前記窓部の窓ガラス部の開放を検出するものであり、請求項１記載の防犯装置の外部センサーは、前記窓部の周辺を徘徊する不審者を検知する人体検知センサーであることを特徴とする。
【００１６】
このようにすれば、外部センサーとして人体検知センサーを利用することで、窓ガラス部が開放される場合だけでなく、窓部からの侵入のために周辺を徘徊している不審者の存在を知り、窓部からの侵入を事前に予測できる。
【発明の効果】
【００１７】
本発明は、以上のように構成したから、一方のセンサーがＯＮ状態（閉じられていた窓ガラス部を開けてその開放状態が維持されている状態）にあったとしても、もう一方がＯＦＦ状態からＯＮ状態（窓ガラス部が閉められた状態から開ける状態）になった場合には、警戒信号が例えば無線にて受信機に送信され、窓ガラス部の開放を確実に検出することができる。
【００１８】
また、１つの制御手段にてマグネットセンサーと（単一または複数の）外部センサーとからの信号を管理することができ、外部センサーは接続コードを介して接続される有線式であるので、無線式の場合に比べて、安価となり、この点からもコスト面で有利である。
【発明を実施するための最良の形態】
【００１９】
以下、本発明の実施の形態を図面に沿って詳細に説明する。
【００２０】
図１は本発明に係る防犯装置の概略構成図、図２は本発明に係る防犯システムの概略構成図である。
【００２１】
図１に示すように、本発明に係る防犯装置１は、窓部の窓ガラス部などの開放を検出するマグネットセンサー２を用いる送信機３と、この送信機３からの警戒信号を受信して警報を発する受信機４とを備える。マグネットセンサー２は、マグネット部２Ａと、このマグネット部２Ａが離れた際に信号を出力するリードスイッチ部２Ｂとを有する。このマグネットセンサー２は、送信機３の筐体５内にリードスイッチ部２Ｂが内蔵される内蔵タイプである。
【００２２】
筐体５内においては、図２に示すように、このリードスイッチ部２Ｂが制御手段６（ＣＰＵ）に接続され、この制御手段６は、マグネットセンサー２のリードスイッチ部２Ｂよりの信号を受信すると、外部からの侵入があったものと判断して、警戒信号を出力する構成とされている。
【００２３】
制御手段６には、電源としての乾電池７が電源安定回路８を通じて接続され、また、制御手段６によって乾電池の電圧が、必要電圧以下に低下したことも検知される。
【００２４】
制御手段６からの信号データは、ＲＦ回路９を経て送信アンテナ１０に送られ、その送信アンテナ１０を通じて、別の場所に設けられている受信機４に送信される。受信機４は、送信機３からの信号を受信して、警報（ブザーの鳴動、ランプの点灯・点滅）を発して、家人などに報知して、注意を喚起するようになっている。また、侵入者に向けて、ブザーを鳴動させ、侵入者を威嚇・撃退する構成とすることも可能である。なお、４ａは受信機４側の受信アンテナで、送信アンテナ１０からの信号を受信する。
【００２５】
また、筐体５内には、制御手段６に接続される外部接点入力端子１３が設けられている。この入力端子１３には、外部マグネットセンサー１１が接続コード１２を介して電気的に接続可能である。外部マグネットセンサー１１も、マグネット部１１Ａと、このマグネット部１１Ａが離れた際に信号を出力するリードスイッチ部１１Ｂとを有する。そして、外部マグネットセンサー１１のリードスイッチ部１１Ｂからの信号も、接続コード１２を通じて、制御手段６に入力される構成となっている。
【００２６】
マグネットセンサー２の筐体５（リードスイッチ部２Ｂ）及び、接続コード１２を備える外部マグネットセンサー１１のリードスイッチ１１Ｂは、固定側（窓枠側、扉枠側など）となり、マグネット部２Ａ，１１Ａは移動側（窓ガラス部側、扉側など）となる。
【００２７】
なお、外部マグネットセンサー１１（マグネット部１１Ａ）は、外部接点入力端子１３に接続コード１２で接続する構成としているが、外部マグネットセンサー１１に代えて、メイク接点式のスイッチや人体検知センサーなどでも接続可能である。
【００２８】
そして、制御手段６は、外部入力端子１３を介して外部マグネットセンサー１１よりの信号を受信した場合に、マグネットセンサー２の状態に関係なく、警戒信号を出力する構成となっている。つまり、どちらか一方がＯＮ状態になっているときに、もう一方がＯＮ状態になっても、無視されることなく、警戒信号が受信機４に対し出力される。
【００２９】
また、制御手段６には、グループＩＤスイッチとチャンネルスイッチとからなる設定スイッチ１４が接続されている。設定スイッチ１４のグループＩＤスイッチは、その送信機３から信号が送信される受信機４のグループＩＤスイッチ（図示せず）と同じ設定とされ、受信機４によって管理される送信機３を特定している。また、チャンネルスイッチは、その設定により受信機４での表示チャンネルを選択できるようになっている。
【００３０】
上記システムによれば、マグネットセンサー２又は外部マグネットセンサー１１がＯＦＦ状態からＯＮ状態に変わると（マグネット部２Ａ，１１Ａがリードスイッチ部２Ｂ，１１Ｂから離れると）、送信機３において必要な信号処理がなされ、送信機３から受信機４に信号が送信される。受信機４はその信号を受信して、警報を発する（例えば、ブザーを鳴動させたり、ランプを点灯・点滅させたり、文字を表示したりする）。ここで、送信機３は特定省電力タイプで、マグネットセンサー２，１１の１回の動作（ＯＦＦ状態からＯＮ状態への変化）につき３秒間のみ信号を送信する。
【００３１】
また、外部マグネットセンサー１１がＯＦＦ状態のとき、マグネットセンサー２が一度ＯＮ状態になり、送信機３が一定時間の信号の送信を終了した後であってそのままＯＮ状態が続いている場合であっても、外部マグネットセンサー１１がＯＦＦ状態からＯＮ状態になると、送信機３は信号を受信機４に向けて送信する。
【００３２】
逆に、マグネットセンサー２がＯＦＦ状態のとき、外部マグネットセンサー１１が１度ＯＮ状態になり、警戒信号の一定時間の信号の送信を終了した後も、ＯＮ状態が続いている場合でも、マグネットセンサー２がＯＦＦ状態からＯＮ状態になると、送信機３は信号を受信機４に向けて送信する。
【００３３】
続いて、上記防犯装置１を用いた防犯システムについて説明する。
（実施例１）
図３に示すように、本例では、送信機３のマグネットセンサー２及び外部マグネットセンサー１１とが、それぞれ、２つの窓ガラス部２１Ａ，２１Ｂにて開閉される引き違い式の窓部２１の窓ガラス部２１Ａ，２１Ｂの開放を検出するものである。つまり、マグネットセンサー２が、一方の窓ガラス部２１Ａの開放を検出し、外部マグネットセンサー１１が、他方の窓ガラス部２１Ｂの開放を検出するものである。
【００３４】
このようにすれば、いずれの窓ガラス部２１Ａ，２１Ｂが侵入者によって開放されても、警報が発せられることになるので、窓部２１からの侵入者を監視することができる。つまり、窓部２１付近に家人が誰もいない場合であっても、いずれかの窓ガラス部２１Ａ，２１Ｂが開放されると、受信機４に信号が送信され、警報が発せられる。例えば、家人が居て、換気などで一方の窓ガラス部２１Ａを開けた状態であり、マグネットセンサー２からの信号は受信機４においてキャンセルされている場合であっても、もう一つの窓ガラス部２１Ｂが開放されると、受信機４に信号が送信され、警報が発せられる。これにより、人が家に居る場合の、気づきにくい窓部２１からの侵入も知ることができ、防犯目的が達成される。
【００３５】
このように、マグネットセンサー２及び外部マグネットセンサー１１とを同じ窓部２１の左右に設置する構成とすれば、どちらかの窓ガラス部２１Ａ，２１Ｂが開放されると、警戒信号を受信機４に送信し、他方が開け放しでも送信するため、窓部２１の窓ガラス部２１Ａ，２１Ｂの開閉を気にしなくてもよい。
【００３６】
本例では、同一の引き違い式の窓部２１に対して、マグネットセンサー２と、外部マグネットセンサー１１とを設けているが、異なる窓部などに設け、それらを別々に監視することも可能である。さらに外部センサーとして、窓部に設けられた網戸の開放を検出する外部マグネットセンサーを設ければ、窓ガラス部が開放された状態で網戸が開放されたことも検出できる。
（実施例２）
図４に示すように、防犯装置１のマグネットセンサー２が、２つの窓ガラス部２１Ａ，２１Ｂにて開閉される引き違い式の窓部２１の窓ガラス部２１Ａ（通常開放される側）の開放を検出するものであり、外部マグネットセンサー１１が、出入り口２３の扉２３ａの開放を検出するものである。
【００３７】
このようにすれば、窓ガラス部２１Ａが開放されても扉２３ａが開放されても、信号が受信機４に送信され、警報が発せられることになる。侵入される可能性のある２箇所（窓部２１、出入り口２３）を単一の防犯装置で監視することができる。
【００３８】
この場合にも、もう一つの窓ガラス部の開放や網戸の開放を検出する外部マグネットセンサーを設けることも可能である。
（実施例３）
図５に示すように、マグネットセンサー２及び外部センサーとしての人体検知センサー２４が、２つの窓ガラス部にて開閉される２つの引き違い式の窓部の窓ガラス部に対して設けられるものであるが、マグネットセンサー２が、窓部２１の窓ガラス部２１Ａ（通常開放される側）の開放を検出する一方、人体検知センサー２４が、窓部２１の付近に配設され、窓部２１の周辺を徘徊する不審者を検知するとするものである。
【００３９】
このようにすれば、窓部２１の窓ガラス部が開放される前に、人体検知センサー２４によって、窓部２１の周辺を徘徊する不審者を検知することができる。つまり、誤動作の可能性もあるため、侵入者があることを一応事前に予測することで、心構えをすることが可能になる。
【００４０】
そして、人体検知センサー２４によって、窓部２１の周辺を徘徊する不審者を検知した場合には信号が受信機４に送られるが、窓ガラス部２１Ａが開放された場合には、再度信号が受信機４に送られ、それによって完全に侵入者であると判断される。この場合、例えば、受信機４において一回目の信号の受信にてランプを点滅し、２回目の信号にてブザー（アラーム）を鳴らすようにすれば、不審者の徘徊の段階では家人の注意を促し、侵入（開放）の段階で侵入者を積極的に撃退することができる。
【００４１】
なお、侵入者が数人いて、一人が人体検知センサー２４の検知場所に監視等で居て、常に人体検知センサー２４がＯＮ状態の場合でも、別の侵入者が窓部２１から窓ガラス部２１Ａを開放して、侵入しようとすれば、信号が受信機４に送られ、やはり警報が発せられる。
【００４２】
この場合にも、もう一つの窓ガラス部の開放や網戸の開放を検出する外部マグネットセンサーを設けることも可能である。
【図面の簡単な説明】
【００４３】
【図１】本発明に係る防犯装置の概略構成図である。
【図２】本発明に係る防犯装置の装置本体の概略構成図である。
【図３】本発明に係る防犯システムの一例（実施例１）を示す説明図である。
【図４】本発明に係る防犯システムの別の例（実施例２）を示す説明図である。
【図５】本発明に係る防犯システムの他の例（実施例３）を示す説明図である。
【符号の説明】
【００４４】
１    防犯装置
２    マグネットセンサー
２Ａ    マグネット部
２Ｂ    リードスイッチ部
３    送信機
４    受信機
５    筐体
６    制御手段
１１    外部マグネットセンサー
１１Ａ    マグネット部
１１Ｂ    リードスイッチ部
１２    接続コード
１３    外部接点入力端子
２１    窓部
２１Ａ，２１Ｂ    窓ガラス部
２３    出入り口
２３ａ    扉
２４    人体検知センサー
【図１】
2005157656.tif 000003
【図２】
2005157656.tif 000004
【図３】
2005157656.tif 000005
【図４】
2005157656.tif 000006
【図５】
2005157656.tif 000007